(57)【要約】【課題】小型化を図りつつゴーストやフレアを効果的に防止する上で有利なレンズ鏡筒および撮像装置を提供する。【解決手段】鏡筒３２の内部には撮影光学系の光軸に平行して延在するメインガイド軸５６とサブガイド軸５８が設けられている。サブガイド軸５８は、第１移動レンズ枠３６の係合部６２に係合され、サブガイド軸５８は、結合部６０がメインガイド軸５６に結合された状態でレンズ移動枠のメインガイド軸５６を中心とした回転を阻止している。第１固定レンズ枠３８の壁部３８０２に、サブガイド軸５８が光軸に臨む面を覆う遮光部材６６がサブガイド軸５８に沿って延在するように突設されている。【選択図】図９
2008015146.tif 000002
【特許請求の範囲】
【請求項１】
撮影光学系が配設された鏡筒と、
前記鏡筒の内部で前記撮影光学系の光軸に平行して延在するガイド軸と、
前記鏡筒の内部で前記ガイド軸に沿って往復移動し前記撮影光学系を構成するレンズを保持する移動レンズ枠とを備えたレンズ鏡筒であって、
前記ガイド軸を支持する前記鏡筒の壁部に、前記ガイド軸が前記光軸に臨む面を覆う遮光部材が前記ガイド軸に沿って延在するように突設されている、
ことを特徴とするレンズ鏡筒。
【請求項２】
前記移動レンズ枠には、前記移動レンズ枠の移動時に前記遮光部材の通過を可能とした通過溝が形成されている、
ことを特徴とする請求項１記載のレンズ鏡筒。
【請求項３】
前記遮光部材は、前記ガイド軸が前記光軸に臨む面に近接しつつ前記ガイド軸に沿って延在している、
ことを特徴とする請求項１記載のレンズ鏡筒。
【請求項４】
前記遮光部材が設けられる前記鏡筒の壁部は、前記ガイド軸の長手方向の端部を支持する壁部である、
ことを特徴とする請求項１記載のレンズ鏡筒。
【請求項５】
前記鏡筒は合成樹脂製であり、前記遮光部材は、前記壁部に一体成形されている、
ことを特徴とする請求項１記載のレンズ鏡筒。
【請求項６】
前記遮光部材は帯板状を呈し、前記遮光部材はその長手方向を前記ガイド軸に平行させて延在しており、その厚さ方向の両面のうちの一方の面が前記ガイド軸に対向し、他方の面が前記光軸に対向している、
ことを特徴とする請求項１記載のレンズ鏡筒。
【請求項７】
前記遮光部材は帯板状を呈し、前記遮光部材はその長手方向を前記ガイド軸に平行させて延在しており、
前記遮光部材の厚さ方向の一方の面は、前記撮影光学系の光軸と前記ガイド軸の軸心とを結ぶ想像線に対して直交する方向に延在し、前記遮光部材の厚さ方向の他方の面は、前記想像線に対して斜めに交差している、
ことを特徴とする請求項１記載のレンズ鏡筒。
【請求項８】
前記遮光部材は、前記光軸に対向する面を有し、前記光軸に対向する面には複数の反射防止用溝が設けられている、
ことを特徴とする請求項１記載のレンズ鏡筒。
【請求項９】
前記遮光部材は、前記光軸に対向する面を有し、前記光軸に対向する面には反射防止用の表面処理が施されている、
ことを特徴とする請求項１記載のレンズ鏡筒。
【請求項１０】
撮影光学系が配設された鏡筒と、
前記鏡筒の内部で前記撮影光学系の光軸に平行して延在するメインガイド軸およびサブガイド軸と、
前記鏡筒の内部で前記メインガイド軸および前記サブガイド軸に沿って往復移動し前記撮影光学系を構成するレンズを保持する移動レンズ枠とを備え、
前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有するレンズ鏡筒であって、
前記サブガイド軸を支持する前記鏡筒の壁部に、前記サブガイド軸が前記光軸に臨む面を覆う遮光部材が前記サブガイド軸に沿って延在するように突設されている、
ことを特徴とするレンズ鏡筒。
【請求項１１】
前記係合部には、前記移動レンズ枠の移動時に前記遮光部材の通過を可能とした通過溝が形成されている、
ことを特徴とする請求項１０記載のレンズ鏡筒。
【請求項１２】
前記係合部は、前記サブガイド軸に係合される係合溝を含んで構成され、
前記係合部には、前記移動レンズ枠の移動時に前記遮光部材の通過を可能とした通過溝が形成され、
前記通過溝は、前記係合溝に接続されて形成されている、
ことを特徴とする請求項１０記載のレンズ鏡筒。
【請求項１３】
前記遮光部材は、前記サブガイド軸が前記光軸に臨む面に近接しつつ前記サブガイド軸に沿って延在している、
ことを特徴とする請求項１０記載のレンズ鏡筒。
【請求項１４】
前記遮光部材が設けられる前記鏡筒の壁部は、前記サブガイド軸の長手方向の端部を支持する壁部である、
ことを特徴とする請求項１０記載のレンズ鏡筒。
【請求項１５】
前記鏡筒は合成樹脂製であり、前記遮光部材は、前記壁部に一体成形されている、
ことを特徴とする請求項１０記載のレンズ鏡筒。
【請求項１６】
撮影光学系が配設された鏡筒と、
前記鏡筒の内部で前記撮影光学系の光軸に平行して延在するガイド軸と、
前記鏡筒の内部で前記ガイド軸に沿って往復移動し前記撮影光学系を構成するレンズを保持する移動レンズ枠とを備えたレンズ鏡筒であって、
前記移動レンズ枠に、前記ガイド軸が前記光軸に臨む面を覆う遮光部材が前記ガイド軸に沿って延在するように突設されている、
ことを特徴とするレンズ鏡筒。
【請求項１７】
前記ガイド軸を支持する前記鏡筒の壁部には、前記移動レンズ枠の移動時に前記遮光部材の通過を可能とした通過溝が形成されている、
ことを特徴とする請求項１６記載のレンズ鏡筒。
【請求項１８】
前記移動レンズ枠は合成樹脂製であり、前記遮光部材は、前記移動レンズ枠に一体成形されている、
ことを特徴とする請求項１６記載のレンズ鏡筒。
【請求項１９】
前記遮光部材は帯板状を呈し、前記遮光部材はその長手方向を前記ガイド軸に平行させて延在しており、その厚さ方向の両面のうちの一方の面が前記ガイド軸に対向し、他方の面が前記光軸に対向している、
ことを特徴とする請求項１６記載のレンズ鏡筒。
【請求項２０】
撮影光学系が配設された鏡筒と、
前記鏡筒の内部で前記撮影光学系の光軸に平行して延在するメインガイド軸およびサブガイド軸と、
前記鏡筒の内部で前記メインガイド軸および前記サブガイド軸に沿って往復移動し前記撮影光学系を構成するレンズを保持する移動レンズ枠とを備え、
前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有するレンズ鏡筒であって、
前記移動レンズ枠に、前記サブガイド軸が前記光軸に臨む面を覆う遮光部材が前記サブガイド軸に沿って延在するように突設されている、
ことを特徴とするレンズ鏡筒。
【請求項２１】
前記サブガイド軸を支持する前記鏡筒の壁部には、前記移動レンズ枠の移動時に前記遮光部材の通過を可能とした通過溝が形成されている、
ことを特徴とする請求項２０記載のレンズ鏡筒。
【請求項２２】
前記移動レンズ枠は合成樹脂製で、前記遮光部材は、前記移動レンズ枠に一体成形されている、
ことを特徴とする請求項２０記載のレンズ鏡筒。
【請求項２３】
前記遮光部材は帯板状を呈し、前記遮光部材はその長手方向を前記サブガイド軸に平行させて延在しており、その厚さ方向の両面のうちの一方の面が前記サブガイド軸に対向し、他方の面が前記光軸に対向している、
ことを特徴とする請求項２０記載のレンズ鏡筒。
【請求項２４】
撮影光学系が配設された鏡筒と、
前記鏡筒の内部で前記撮影光学系の光軸に平行して延在するガイド軸と、
前記鏡筒の内部で前記ガイド軸に沿って往復移動し前記撮影光学系を構成するレンズを保持する移動レンズ枠とを備えたレンズ鏡筒であって、
前記ガイド軸を支持する前記鏡筒の壁部に、前記ガイド軸が前記光軸に臨む面を覆う第１の遮光部材が前記ガイド軸に沿って延在するように突設され、
前記移動レンズ枠に、前記ガイド軸が前記光軸に臨む面を覆う第２の遮光部材が前記第１の遮光部材と異なる箇所で前記ガイド軸に沿って延在するように突設されている、
ことを特徴とするレンズ鏡筒。
【請求項２５】
撮影光学系が配設された鏡筒と、
前記鏡筒の内部で前記撮影光学系の光軸に平行して延在するメインガイド軸およびサブガイド軸と、
前記鏡筒の内部で前記メインガイド軸および前記サブガイド軸に沿って往復移動し前記撮影光学系を構成するレンズを保持する移動レンズ枠とを備え、
前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有するレンズ鏡筒であって、
前記サブガイド軸を支持する前記鏡筒の壁部に、前記サブガイド軸が前記光軸に臨む面を覆う第１の遮光部材が前記サブガイド軸に沿って延在するように突設され、
前記移動レンズ枠に、前記サブガイド軸が前記光軸に臨む面を覆う第２の遮光部材が前記第１の遮光部材と異なる箇所で前記サブガイド軸に沿って延在するように突設されている、
ことを特徴とするレンズ鏡筒。
【請求項２６】
レンズ鏡筒を有する撮像装置であって、
前記レンズ鏡筒は、
撮影光学系が配設された鏡筒と、
前記鏡筒の内部で前記撮影光学系の光軸に平行して延在するガイド軸と、
前記鏡筒の内部で前記ガイド軸に沿って往復移動し前記撮影光学系を構成するレンズを保持する移動レンズ枠とを備え、
前記ガイド軸を支持する前記鏡筒の壁部に、前記ガイド軸が前記光軸に臨む面を覆う遮光部材が前記ガイド軸に沿って延在するように突設されている、
ことを特徴とする撮像装置。
【請求項２７】
レンズ鏡筒を有する撮像装置であって、
前記レンズ鏡筒は、
撮影光学系が配設された鏡筒と、
前記鏡筒の内部で前記撮影光学系の光軸に平行して延在するメインガイド軸およびサブガイド軸と、
前記鏡筒の内部で前記メインガイド軸および前記サブガイド軸に沿って往復移動し前記撮影光学系を構成するレンズを保持する移動レンズ枠とを備え、
前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有し、
前記サブガイド軸を支持する前記鏡筒の壁部に、前記サブガイド軸が前記光軸に臨む面を覆う遮光部材が前記サブガイド軸に沿って延在するように突設されている、
ことを特徴とする撮像装置。
【請求項２８】
レンズ鏡筒を有する撮像装置であって、
前記レンズ鏡筒は、
撮影光学系が配設された鏡筒と、
前記鏡筒の内部で前記撮影光学系の光軸に平行して延在するガイド軸と、
前記鏡筒の内部で前記ガイド軸に沿って往復移動し前記撮影光学系を構成するレンズを保持する移動レンズ枠とを備え、
前記移動レンズ枠に、前記ガイド軸が前記光軸に臨む面を覆う遮光部材が前記ガイド軸に沿って延在するように突設されている、
ことを特徴とする撮像装置。
【請求項２９】
レンズ鏡筒を有する撮像装置であって、
前記レンズ鏡筒は、
撮影光学系が配設された鏡筒と、
前記鏡筒の内部で前記撮影光学系の光軸に平行して延在するメインガイド軸およびサブガイド軸と、
前記鏡筒の内部で前記メインガイド軸および前記サブガイド軸に沿って往復移動し前記撮影光学系を構成するレンズを保持する移動レンズ枠とを備え、
前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有し、
前記移動レンズ枠に、前記サブガイド軸が前記光軸に臨む面を覆う遮光部材が前記サブガイド軸に沿って延在するように突設されている、
ことを特徴とする撮像装置。
【請求項３０】
レンズ鏡筒を有する撮像装置であって、
前記レンズ鏡筒は、
撮影光学系が配設された鏡筒と、
前記鏡筒の内部で前記撮影光学系の光軸に平行して延在するガイド軸と、
前記鏡筒の内部で前記ガイド軸に沿って往復移動し前記撮影光学系を構成するレンズを保持する移動レンズ枠とを備え、
前記ガイド軸を支持する前記鏡筒の壁部に、前記ガイド軸が前記光軸に臨む面を覆う第１の遮光部材が前記ガイド軸に沿って延在するように突設され、
前記移動レンズ枠に、前記ガイド軸が前記光軸に臨む面を覆う第２の遮光部材が前記第１の遮光部材と異なる箇所で前記ガイド軸に沿って延在するように突設されている、
ことを特徴とする撮像装置。
【請求項３１】
レンズ鏡筒を有する撮像装置であって、
前記レンズ鏡筒は、
撮影光学系が配設された鏡筒と、
前記鏡筒の内部で前記撮影光学系の光軸に平行して延在するメインガイド軸およびサブガイド軸と、
前記鏡筒の内部で前記メインガイド軸および前記サブガイド軸に沿って往復移動し前記撮影光学系を構成するレンズを保持する移動レンズ枠とを備え、
前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有し、
前記サブガイド軸を支持する前記鏡筒の壁部に、前記サブガイド軸が前記光軸に臨む面を覆う第１の遮光部材が前記サブガイド軸に沿って延在するように突設され、
前記移動レンズ枠に、前記サブガイド軸が前記光軸に臨む面を覆う第２の遮光部材が前記第１の遮光部材と異なる箇所で前記サブガイド軸に沿って延在するように突設されている、
ことを特徴とする撮像装置。
【発明の詳細な説明】
【技術分野】
【０００１】
本発明はレンズ鏡筒および撮像装置に関する。
【背景技術】
【０００２】
ビデオカメラなどの撮像装置に組み込まれるレンズ鏡筒がある。
このようなレンズ鏡筒として、撮影光学系が配設された鏡筒と、鏡筒の内部で撮影光学系の光軸に平行して延在するガイド軸と、鏡筒の内部でガイド軸に沿って往復移動し撮影光学系を構成するレンズを保持する移動レンズ枠とを備えたものがある（特許文献１参照）。
そして、多くの場合、ガイド軸は金属製であり、移動レンズ枠を円滑に移動させるためにその外周面がバレル研磨などによって研磨され、光が反射しやすい面となっている。
【特許文献１】特開２００５−１５６９３４号公報
【発明の開示】
【発明が解決しようとする課題】
【０００３】
したがって、このようなレンズ鏡筒では、撮影光学系に入射する光線のうち、光軸に対して交差する方向に進行する光線、言い換えると、被写体像の結像には関係のない光線がガイド軸の外周面で反射し、撮像素子に向かって進行し撮像素子の撮像面に入射することでゴーストやフレアが発生する場合がある。
特に、レンズ鏡筒の小型化を図るため、ガイド軸と光軸との間隔を縮小すると、ガイド軸による光線の反射が発生しやすくなり、ゴーストやフレアの発生が顕著になることが懸念される。
本発明はこのような事情に鑑みなされたもので、その目的は、小型化を図りつつゴーストやフレアを効果的に防止する上で有利なレンズ鏡筒および撮像装置を提供することにある。
【課題を解決するための手段】
【０００４】
上述の目的を達成するため、本発明は、撮影光学系が配設された鏡筒と、前記鏡筒の内部で前記撮影光学系の光軸に平行して延在するガイド軸と、前記鏡筒の内部で前記ガイド軸に沿って往復移動し前記撮影光学系を構成するレンズを保持する移動レンズ枠とを備えたレンズ鏡筒であって、前記ガイド軸を支持する前記鏡筒の壁部に、前記ガイド軸が前記光軸に臨む面を覆う遮光部材が前記ガイド軸に沿って延在するように突設されていることを特徴とする。
また本発明は、撮影光学系が配設された鏡筒と、前記鏡筒の内部で前記撮影光学系の光軸に平行して延在するメインガイド軸およびサブガイド軸と、前記鏡筒の内部で前記メインガイド軸および前記サブガイド軸に沿って往復移動し前記撮影光学系を構成するレンズを保持する移動レンズ枠とを備え、前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有するレンズ鏡筒であって、前記サブガイド軸を支持する前記鏡筒の壁部に、前記サブガイド軸が前記光軸に臨む面を覆う遮光部材が前記サブガイド軸に沿って延在するように突設されていることを特徴とする。
また本発明は、撮影光学系が配設された鏡筒と、前記鏡筒の内部で前記撮影光学系の光軸に平行して延在するガイド軸と、前記鏡筒の内部で前記ガイド軸に沿って往復移動し前記撮影光学系を構成するレンズを保持する移動レンズ枠とを備えたレンズ鏡筒であって、前記移動レンズ枠に、前記ガイド軸が前記光軸に臨む面を覆う遮光部材が前記ガイド軸に沿って延在するように突設されていることを特徴とする。
また本発明は、撮影光学系が配設された鏡筒と、前記鏡筒の内部で前記撮影光学系の光軸に平行して延在するメインガイド軸およびサブガイド軸と、前記鏡筒の内部で前記メインガイド軸および前記サブガイド軸に沿って往復移動し前記撮影光学系を構成するレンズを保持する移動レンズ枠とを備え、前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有するレンズ鏡筒であって、前記移動レンズ枠に、前記サブガイド軸が前記光軸に臨む面を覆う遮光部材が前記サブガイド軸に沿って延在するように突設されていることを特徴とする。
また本発明は、撮影光学系が配設された鏡筒と、前記鏡筒の内部で前記撮影光学系の光軸に平行して延在するガイド軸と、前記鏡筒の内部で前記ガイド軸に沿って往復移動し前記撮影光学系を構成するレンズを保持する移動レンズ枠とを備えたレンズ鏡筒であって、
前記ガイド軸を支持する前記鏡筒の壁部に、前記ガイド軸が前記光軸に臨む面を覆う第１の遮光部材が前記ガイド軸に沿って延在するように突設され、前記移動レンズ枠に、前記ガイド軸が前記光軸に臨む面を覆う第２の遮光部材が前記第１の遮光部材と異なる箇所で前記ガイド軸に沿って延在するように突設されていることを特徴とする。
また本発明は、撮影光学系が配設された鏡筒と、前記鏡筒の内部で前記撮影光学系の光軸に平行して延在するメインガイド軸およびサブガイド軸と、前記鏡筒の内部で前記メインガイド軸および前記サブガイド軸に沿って往復移動し前記撮影光学系を構成するレンズを保持する移動レンズ枠とを備え、前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有するレンズ鏡筒であって、前記サブガイド軸を支持する前記鏡筒の壁部に、前記サブガイド軸が前記光軸に臨む面を覆う第１の遮光部材が前記サブガイド軸に沿って延在するように突設され、前記移動レンズ枠に、前記サブガイド軸が前記光軸に臨む面を覆う第２の遮光部材が前記第１の遮光部材と異なる箇所で前記サブガイド軸に沿って延在するように突設されていることを特徴とする。
また本発明は、レンズ鏡筒を有する撮像装置であって、前記レンズ鏡筒は、撮影光学系が配設された鏡筒と、前記鏡筒の内部で前記撮影光学系の光軸に平行して延在するガイド軸と、前記鏡筒の内部で前記ガイド軸に沿って往復移動し前記撮影光学系を構成するレンズを保持する移動レンズ枠とを備え、前記ガイド軸を支持する前記鏡筒の壁部に、前記ガイド軸が前記光軸に臨む面を覆う遮光部材が前記ガイド軸に沿って延在するように突設されていることを特徴とする。
また本発明は、レンズ鏡筒を有する撮像装置であって、前記レンズ鏡筒は、撮影光学系が配設された鏡筒と、前記鏡筒の内部で前記撮影光学系の光軸に平行して延在するメインガイド軸およびサブガイド軸と、前記鏡筒の内部で前記メインガイド軸および前記サブガイド軸に沿って往復移動し前記撮影光学系を構成するレンズを保持する移動レンズ枠とを備え、前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有し、前記サブガイド軸を支持する前記鏡筒の壁部に、前記サブガイド軸が前記光軸に臨む面を覆う遮光部材が前記サブガイド軸に沿って延在するように突設されていることを特徴とする。
また本発明は、レンズ鏡筒を有する撮像装置であって、前記レンズ鏡筒は、撮影光学系が配設された鏡筒と、前記鏡筒の内部で前記撮影光学系の光軸に平行して延在するガイド軸と、前記鏡筒の内部で前記ガイド軸に沿って往復移動し前記撮影光学系を構成するレンズを保持する移動レンズ枠とを備え、前記移動レンズ枠に、前記ガイド軸が前記光軸に臨む面を覆う遮光部材が前記ガイド軸に沿って延在するように突設されていることを特徴とする。
また本発明は、レンズ鏡筒を有する撮像装置であって、前記レンズ鏡筒は、撮影光学系が配設された鏡筒と、前記鏡筒の内部で前記撮影光学系の光軸に平行して延在するメインガイド軸およびサブガイド軸と、前記鏡筒の内部で前記メインガイド軸および前記サブガイド軸に沿って往復移動し前記撮影光学系を構成するレンズを保持する移動レンズ枠とを備え、前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有し、前記移動レンズ枠に、前記サブガイド軸が前記光軸に臨む面を覆う遮光部材が前記サブガイド軸に沿って延在するように突設されていることを特徴とする。
また本発明は、レンズ鏡筒を有する撮像装置であって、前記レンズ鏡筒は、撮影光学系が配設された鏡筒と、前記鏡筒の内部で前記撮影光学系の光軸に平行して延在するガイド軸と、前記鏡筒の内部で前記ガイド軸に沿って往復移動し前記撮影光学系を構成するレンズを保持する移動レンズ枠とを備え、前記ガイド軸を支持する前記鏡筒の壁部に、前記ガイド軸が前記光軸に臨む面を覆う第１の遮光部材が前記ガイド軸に沿って延在するように突設され、前記移動レンズ枠に、前記ガイド軸が前記光軸に臨む面を覆う第２の遮光部材が前記第１の遮光部材と異なる箇所で前記ガイド軸に沿って延在するように突設されていることを特徴とする。
また本発明は、レンズ鏡筒を有する撮像装置であって、前記レンズ鏡筒は、撮影光学系が配設された鏡筒と、前記鏡筒の内部で前記撮影光学系の光軸に平行して延在するメインガイド軸およびサブガイド軸と、前記鏡筒の内部で前記メインガイド軸および前記サブガイド軸に沿って往復移動し前記撮影光学系を構成するレンズを保持する移動レンズ枠とを備え、前記移動レンズ枠は、前記メインガイド軸に滑動可能に結合された結合部と、前記サブガイド軸に係合され前記第１結合部が前記メインガイド軸に結合された状態で前記移動レンズ枠の前記メインガイド軸を中心とした回転を阻止する係合部とを有し、前記サブガイド軸を支持する前記鏡筒の壁部に、前記サブガイド軸が前記光軸に臨む面を覆う第１の遮光部材が前記サブガイド軸に沿って延在するように突設され、前記移動レンズ枠に、前記サブガイド軸が前記光軸に臨む面を覆う第２の遮光部材が前記第１の遮光部材と異なる箇所で前記サブガイド軸に沿って延在するように突設されていることを特徴とする。
【発明の効果】
【０００５】
本発明によれば、遮光部材を設けることによって光線がガイド軸で反射されることを防止することができるので、従来のようにガイド軸と光軸との間隔を大きく確保する必要が無いため、鏡筒や撮像装置の小型化を図りつつゴーストやフレアを効果的に防止することができる。
【発明を実施するための最良の形態】
【０００６】
（第１の実施の形態）
次に、本発明の実施の形態について図面を参照して説明する。
図１、図２は第１の実施の形態の撮像装置１０の構成を示す斜視図、図３は撮像装置１０の制御系の構成を示すブロック図である。
図１、図２に示すように、本実施の形態の撮像装置１０はビデオカメラである。
撮像装置１０の外装を構成するケース１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれたレンズ鏡筒１６が前後に延在し、その前部がケース１２の前面に臨むように設けられている。
レンズ鏡筒１６の後端には撮影光学系１４によって導かれた被写体像を撮像する撮像素子１８（図３参照）が設けられている。
図１に示すように、ケース１２の左側部には、撮像素子１８によって撮像された被写体像などを表示するための例えば液晶表示装置からなるディスプレイパネル２０が開閉可能に設けられ、このディスプレイパネル２０は閉じられた際に収容凹部１２０２に収容される。なお、収容凹部１２０２の底壁にはスピーカ２２（図３参照）が設けられている。
図２に示すように、ケース１２の右側部には、画像データや音声データを記録するディスク状記録媒体２（図３参照）が装脱可能に収容される収容部２４が設けられ、収容部２４は開閉蓋２４０２により開閉される。
ケース１２の右側面には、前後方向に延在するグリップベルト２６が設けられている。
ケース１２の上面前部には、音声を収音するためのマイクロフォン２８が設けられている。
ケース１２の上面後部には、ディスプレイ２９０２（図３参照）が組み込まれた電子式ビューファインダー装置２９が設けられている。
図２に示すように、撮像装置１０には、撮影にまつわる種々の機能を実行するための操作スイッチとして、電源スイッチ３０Ａ、静止画撮影用スイッチ３０Ｂ、ズーム用スイッチ３０Ｃ、モード切り換え用スイッチ３０Ｄ、動画撮影用スイッチ３０Ｅなどが設けられている。
【０００７】
図３に示すように、撮像装置１０には、映像信号用増幅回路１００、画像データ処理部１０２、マイクロフォン用増幅回路１０４、音声データ処理回路１０５、スピーカ２２、出力用増幅回路１０６、記録再生回路１０８、コントロール回路１１０、記録再生機構１１２、ドライブ回路１１４、インターフェース回路１１６、メモリカード用スロット１１８、ズーム駆動部１２０などが設けられている。
撮像素子１８で生成された撮像信号は映像信号用増幅回路１００で増幅され、画像データ処理部１０２に供給される。
画像データ処理部１０２は、撮像信号に所定の信号処理を行うことで、動画データおよび静止画データを生成し、記録再生回路１０８に供給される。
マイクロフォン２８で収音された音声信号はマイクロフォン用増幅回路１０４で増幅され、音声データ処理回路１０５によって所定の信号処理がなされ音声データとして記録再生回路１０８に供給される。
【０００８】
記録再生回路１０８は、画像データ処理部１０２から供給された動画データおよび静止画データや音声データ処理回路１０５から供給された音声データをコントロール回路１１０の制御にしたがって記録再生機構１１２に供給し、記録再生機構１１２は動画データおよび静止画データや音声データを記録媒体としてのディスク状記録媒体２に記録する。本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路１０８は、画像データ処理部１０２から供給された動画データおよび静止画データや音声データ処理回路１０５から供給された音声データをインターフェース回路１１６を介してメモリカード用スロット１１８に装着された記録媒体としてのメモリカード４に記録する。
また、記録再生回路１０８は、画像データ処理部１０２から供給された動画データおよび静止画データを、ドライブ回路１１４を介してディスプレイパネル２０、２９０２に供給して画像の表示を行わせる。
また、記録再生回路１０８は、インターフェース回路１１６を介してメモリカード４から供給される動画データおよび静止画データを、ドライブ回路１１４を介してディスプレイパネル２０、２９０２に供給して画像の表示を行わせるとともに、インターフェース回路１１６を介してメモリカード４から供給される音声データを出力用増幅回路１０６を介してスピーカ２２に供給して音声の出力を行わせる。
また、記録再生回路１０８は、記録再生機構１１２によりディスク状記録媒体２から再生された動画データおよび静止画データを、ドライブ回路１１４を介してディスプレイパネル２０、２９０２に供給して画像の表示を行わせるとともに、記録再生機構１１２によりディスク状記録媒体２から再生された音声データを出力用増幅回路１０６を介してスピーカ２２に供給して音声の出力を行わせる。
【０００９】
コントロール回路１１０は、電源スイッチ３０Ａの操作に基づいて撮像装置１０の電源のオン、オフを行う。
コントロール回路１１０は、静止画撮影用スイッチ３０Ｂの操作に基づいて画像データ処理部１０２および記録再生回路１０８に指令を与えることにより、画像データ処理部１０２から供給される静止画データを記録再生回路１０８を介して記録再生機構１１２に供給することで静止画データをディスク状記録媒体２に記録させる。言い換えると、静止画撮影用スイッチ３０Ｂは、いわゆるシャッタボタンとして機能している。
コントロール回路１１０は、ズーム用スイッチ３０Ｃの操作に基づいてズーム駆動部１２０に指令を与えることにより、撮影光学系１４の第１、第２移動レンズ群４８、５２（図５参照）を移動させることにより、撮影光学系１４のズーム率を変化させる。
コントロール回路１１０は、モード切り換え用スイッチ３０Ｄの操作に基づいて画像データ処理部１０２に指令を与えることにより、画像データ処理部１０２によって動画データを生成させる動画撮影モードと、画像データ処理部１０２によって静止画データを生成させる静止画撮影モードとを切り換える。
なお、動画撮影モードでは、画像データ処理部１０２で生成された動画データが記録再生回路１０８を介してディスク状記録媒体２またはメモリカード４に記録され、静止画撮影モードでは、画像データ処理部１０２で生成された静止画データが記録再生回路１０８を介してディスク状記録媒体２またはメモリカード４に記録される。
コントロール回路１１０は、動画撮影用スイッチ３０Ｅの操作に基づいて動画データの記録の開始、記録の停止を行わせる。すなわち、コントロール回路１１０は、動画撮影用スイッチ３０Ｅの操作に基づいて画像データ処理部１０２および記録再生回路１０８に指令を与えることにより、画像データ処理部１０２からに供給される動画データを記録再生回路１０８を介して記録再生機構１１２に供給することで動画データをディスク状記録媒体２に記録させる動作を開始させ、あるいは、その動作を停止させる。言い換えると、動画撮影用スイッチ３０Ｅは、いわゆる撮影スタート／ストップの操作部材として機能している。
【００１０】
次に、レンズ鏡筒１６について説明する。
図４はレンズ鏡筒１６の分解斜視図、図５はレンズ鏡筒１６の断面図である。
図４、図５に示すように、レンズ鏡筒１６は鏡筒３２を有し、鏡筒３２は、鏡筒本体３４と、鏡筒本体３４の内部の前部に配置される第１移動レンズ枠３６と、鏡筒本体３４の前端に取着される第１固定レンズ枠３８と、鏡筒本体３４の内部の後部に配置される第２移動レンズ枠４０と、鏡筒本体３４の内部で第２移動レンズ枠４０の前方に配置され鏡筒本体３４の内部に固定される第２固定レンズ枠４２と、鏡筒本体３４の後端に取着される第3固定レンズ枠４４とを有している。
【００１１】
撮影光学系１４は、第１固定レンズ群４６、第１移動レンズ群４８、第２固定レンズ５０、第２移動レンズ群５２、第３固定レンズ５４が光軸方向の前方から後方に向かってこの順番で配設されて構成されている。図中符号１４Ａは撮影光学系１４の光軸を示す。
第１固定レンズ群４６は第１固定レンズ枠３８に固定され、第１移動レンズ群４８は第１移動レンズ枠３６に固定され、第２固定レンズ５０は第２固定レンズ枠４２に固定され、第２移動レンズ群５２は第２移動レンズ枠４０に固定され、第３固定レンズ５４は第３固定レンズ枠４４に固定されている。
本実施の形態では、撮影光学系１４は、第１、第２移動レンズ群４８、５２を持つインナーフォーカスレンズとして構成され、第１固定レンズ群４６と第２固定レンズ５０と第３固定レンズ５４は、撮影光学系１４の光軸方向に移動不能に鏡筒３２に固定され、第１移動レンズ群４８と第２移動レンズ群５２は不図示の駆動機構により撮影光学系１４の光軸方向に移動されるように構成されている。
第１移動レンズ群４８と第２移動レンズ群５２は、それぞれ光軸方向に移動されることで協働して撮影光学系１４の焦点距離の調整（ズーミング）を行うとともに撮影光学系１４の焦点調節（フォーカシング）を行うものである。
【００１２】
図６は第１固定レンズ枠３８の斜視図、図７、図８は第１固定レンズ枠３８および第１移動レンズ枠３６の斜視図、図９はレンズ鏡筒１６の前部寄り部分の断面図である。
次に、図６乃至図９を参照して第１の実施の形態に係る遮光構造について説明する。
移動レンズ枠である第１移動レンズ枠３６は、不図示の駆動機構によりメインガイド軸５６およびサブガイド軸５８に沿って往復移動される。
すなわち、鏡筒３２の内部には撮影光学系の光軸に平行して延在するメインガイド軸５６とサブガイド軸５８が設けられている。メインガイド軸５６とサブガイド軸５８の前端は、第１固定レンズ枠３８の壁部３８０２で支持され、後端は鏡筒本体３４の内部の壁部（不図示）で支持されている。
メインガイド軸５６は、第１移動レンズ枠３６の結合部６０に滑動可能に結合されている。
結合部６０は、第１移動レンズ枠３６ががたつかないようにメインガイド軸５６に沿った細長形状を呈し、例えば、軸受を含んで構成されている。
サブガイド軸５８は、第１移動レンズ枠３６の係合部６２に係合され、サブガイド軸５８は、結合部６０がメインガイド軸５６に結合された状態で第１移動レンズ枠３６のメインガイド軸５６を中心とした回転を阻止している。
係合部６２は係合溝６４を含んで構成されている。
【００１３】
メインガイド軸５６およびサブガイド軸５８は金属製で、第１移動レンズ枠３６が円滑に案内されるように、その外周面はバレル研磨などによって研磨され、光が反射しやすい面となっている。
ここで、メインガイド軸５６は結合部６０により多くの部分が隠されるが、サブガイド軸５８はその大半が鏡筒３２の内部に露出している。
そこで、第１固定レンズ枠３８の壁部３８０２に、サブガイド軸５８が光軸に臨む面を覆う遮光部材６６がサブガイド軸５８に沿って延在するように突設されている。
第１固定レンズ枠３８は合成樹脂製で、第１固定レンズ枠３８を構成する合成樹脂として、例えば、ポリカーボネートなどが挙げられる。
遮光部材６６は第１固定レンズ枠３８の壁部３８０２に一体成形され、したがって遮光部材６６は合成樹脂製である。
遮光部材６６は帯板状を呈し、サブガイド軸５８が光軸に臨む面に近接しつつ遮光部材６６はその長手方向をサブガイド軸５８に平行させて延在しており、その厚さ方向の両面のうちの一方の面がサブガイド軸５８に対向し、他方の面が光軸に対向している。すなわち、本実施の形態では、遮光部材６６をサブガイド軸５８が光軸に臨む面に近接しつつ延在させ、厚さ方向の一方の面をサブガイド軸５８に対向させることで、被写体像の結像には関係のない光線Ｌ１（図９参照）がサブガイド軸５８の外周面に到達するのを効果的に防止するようにしている。
係合部６２には、第１移動レンズ枠３６の移動時に第１移動レンズ枠３６と遮光部材６６との衝突を回避するため、第１移動レンズ枠３６の移動時に遮光部材６６の通過を可能とした通過溝６８が形成されている。
通過溝６８は、係合溝６４に接続されて形成されている。
【００１４】
次に作用効果について説明する。
図９において、遮光部材６６が設けられていない場合には、第１固定レンズ群４６を通過した光線のうち、光軸に対して交差する方向に進行する光線Ｌ１、言い換えると、被写体像の結像には関係のない光線Ｌ１がサブガイド軸５８の外周面で反射し、撮像素子１８に向かって進行し撮像素子１８の撮像面に入射することでゴーストやフレアが発生する。
ゴーストやフレアを防止するためには、サブガイド軸５８と光軸との間隔を大きく確保することで、光線を撮像素子１８から外れた方向に導くことが考えられるが、この場合には、レンズ鏡筒１６の光軸と直交する方向の寸法が拡大し小型化を図る上で不利となる。
これに対して、本実施の形態のように、遮光部材６６が設けられている場合には、サブガイド軸５８の外周面に向かって進行する光線Ｌ１は、遮光部材６６によって遮断され、サブガイド軸５８の外周面には当たらない。そのため、光線Ｌ１が撮像素子１８に入射することで発生するゴーストやフレアを確実に抑制することができる。
なお、遮光部材６６の表面で反射した光線の一部が撮像素子１８に入射することも考えられるが、遮光部材６６は合成樹脂製であるため、その表面の反射率はサブガイド軸５８の外周面の反射率に比較して十分に小さいものであることから遮光部材６６の表面で反射して撮像素子１８に入射する光線はその強度が非常に弱く、その光線が撮像素子１８に入射することで生じる影響はほとんど無視することができる。
したがって、本実施の形態によれば、遮光部材６６を設けることによって光線がサブガイド軸５８で反射されることを防止することができるので、上述のようにサブガイド軸５８と光軸との間隔を大きく確保する必要が無いため、鏡筒１６や撮像装置１０の小型化を図りつつゴーストやフレアを効果的に防止することができる。
また、本実施の形態では、遮光部材６６を第１固定レンズ枠３８と一体に形成したので、部品点数の増加を抑制できコストダウンを図る上で有利となる。
【００１５】
（第２の実施の形態）
次に第２の実施の形態について説明する。
図１０は第２の実施の形態における第１固定レンズ枠３８および第１移動レンズ枠３６の斜視図である。なお、以下の実施の形態において、第１の実施の形態と同一または同様の箇所、部材には同一の符号を付して説明する。
第１の実施の形態では、遮光部材６６の厚さ方向の両面のうちの一方の面がガイド軸に対向し、他方の面が光軸に対向していたが、第２の実施の形態では、図１０に示すように、遮光部材６６の厚さ方向の一方の面６６Ａは、第１の実施の形態と同様に撮影光学系１４の光軸とサブガイド軸５８の軸心とを結ぶ想像線に対して直交する方向に延在しているものの、遮光部材６６の厚さ方向の他方の面６６Ｂは、想像線に対して直交せず想像線に対して斜めに交差している。
このような第２の実施の形態によれば、遮光部材６６の他方の面６６Ｂに到達した光線Ｌ１（図９参照）は、他方の面６６Ｂによって撮像素子１８から外れた方向に向けて反射されるため、第１の実施の形態に比較して、遮光部材６６で反射され撮像素子１８に入射する光線の強度をより低下させることができ撮像素子１８に対する影響をより抑制することができ有利となる。
【００１６】
（第３の実施の形態）
次に第３の実施の形態について説明する。
図１１は第３の実施の形態における第１固定レンズ枠３８の斜視図である。
第３の実施の形態では、図１１に示すように、遮光部材６６は、サブガイド軸５８が光軸に臨む面に対向する面６６Ａと、光軸に対向する面６６Ｂを有し、光軸に対向する面６６Ｂに複数の反射防止用溝７０が設けられている。
このような第３の実施の形態によれば、遮光部材６６の光軸に対向する面６６Ｂに到達した光線Ｌ１（図９参照）は、面６６Ｂに設けられた反射防止用溝７０によって撮像素子１８から外れた方向に向けて反射されるため、第２の実施の形態と同様に、遮光部材６６で反射され撮像素子１８に入射する光線の強度をより低下させることができ撮像素子１８に対する影響をより抑制することができ有利となる。
また、複数の反射防止用溝７０に代えて反射防止用の表面処理を光軸に対向する面６６Ｂに施しても同様の効果が奏される。反射防止用の表面処理としては例えばシボ加工などの従来公知の様々な反射防止技術が採用可能である。
また、第２の実施の形態における遮光部材６６の面６６Ｂに、第３の実施の形態の複数の反射防止用溝７０を設けても、あるいは、面６６Ｂに反射防止用の表面処理を施してもよく、その場合には、遮光部材６６で反射され撮像素子１８に入射する光線の強度をさらに低下させることができ撮像素子１８に対する影響をより一層抑制することができ有利となる。
【００１７】
（第４の実施の形態）
次に第４の実施の形態について説明する。
図１２は第４の実施の形態におけるレンズ鏡筒１６の前部寄りの断面図であり、（Ａ）は第１移動レンズ枠３６がワイド端に位置した状態を示し、（Ｂ）は第１移動レンズ枠３６がテレ端に位置した状態を示す。
第４の実施の形態では、第１の実施の形態の遮光部材６６（第１の遮光部材に相当）に加え、ガイド軸に沿って移動する移動レンズ枠である第１移動レンズ枠３６にも遮光部材７２（第２の遮光部材に相当）を設けたものである。
第１移動レンズ枠３６は合成樹脂製で、第１移動レンズ枠３６を構成する合成樹脂として、例えば、ポリカーボネートなどが挙げられる。
遮光部材７２は第１移動レンズ枠３６の壁部３６０２に一体成形され、したがって遮光部材７２は合成樹脂製である。
遮光部材７２は帯板状を呈し、サブガイド軸５８が光軸に臨む面に沿って遮光部材７２はその長手方向をサブガイド軸５８に平行させて遮光部材６６（第１の遮光部材に相当）と異なる箇所で延在しており、その厚さ方向の両面のうちの一方の面がサブガイド軸５８に対向し、他方の面が光軸に対向している。本実施の形態では、サブガイド軸５８に対して遮光部材６６（第１の遮光部材に相当）よりも遮光部材７２（第２の遮光部材に相当）を離れた箇所に配置し、双方の遮光部材６６、７２の衝突を防止するようにしている。
すなわち、本実施の形態では、第１移動レンズ枠３６にも遮光部材７２をサブガイド軸５８が光軸に臨む面に沿って延在させ、厚さ方向の一方の面をサブガイド軸５８に対向させることで、被写体像の結像には関係のない光線Ｌ１がサブガイド軸５８の外周面に到達するのを効果的に防止するようにしている。
サブガイド軸５８を支持する鏡筒３２の壁部３２１０には、第１移動レンズ枠３６の移動時に第１移動レンズ枠３６と壁部３２１０との衝突を防止するため、第１移動レンズ枠３６の移動時に遮光部材７２の通過を可能とした通過溝７４が形成されている。
【００１８】
図１２（Ａ）に示すように、ワイド端において、第１移動レンズ枠３６は第１固定レンズ枠３８および第１固定レンズ群４６の後面に近接するため、遮光部材７２は第１移動レンズ枠３６から後方に延在している。
そして、ワイド端から図１２（Ｂ）に示すテレ端に移動する際に、第１移動レンズ枠３６とともに遮光部材７２が後方に移動し、双方の遮光部材６６、７２により、被写体像の結像には関係のない光線Ｌ１がサブガイド軸５８の外周面に到達するのを効果的に防止される。
【００１９】
第４の実施の形態によれば、第１の実施の形態と同様の効果を奏することは無論のこと、双方の遮光部材６６、７２により、被写体像の結像には関係のない光線Ｌ１がサブガイド軸５８の外周面に到達するのをサブガイド軸５８の延在方向の広い範囲にわたって効果的に防止する上で有利となる。
【００２０】
なお、本実施の形態では、移動レンズ枠がメインガイド軸とサブガイド軸の２本のガイド軸に沿って往復移動する場合について説明したが、移動レンズ枠の往復移動を案内するガイド機構は実施の形態に限定されず任意であり、本発明はガイド軸が１本の場合も、あるいは、３本以上の場合にも無論適用されるものである。
なお、本実施の形態では、遮光部材が鏡筒を構成する固定レンズ枠と一体に形成され、あるいは、遮光部材が移動レンズ枠と一体に形成されている場合について説明したが、固定レンズ枠や移動レンズ枠と別体に形成された遮光部材を、固定レンズ枠や移動レンズ枠に取着するようにしてもよいことは無論であるが、実施の形態のように構成すると、部品点数を削減しコストダウンを図る上で有利となる。
また、本実施の形態では、撮像装置としてビデオカメラを用いて説明したが、本発明は、デジタルスチルカメラ、その他種々の撮像装置に適用可能であり、本発明のレンズ鏡筒は、レンズ鏡筒を用いる撮像装置以外の様々な機器、装置に適用可能である。
【図面の簡単な説明】
【００２１】
【図１】第１の実施の形態の撮像装置１０の構成を示す斜視図である。
【図２】第１の実施の形態の撮像装置１０の構成を示す斜視図である。
【図３】撮像装置１０の制御系の構成を示すブロック図である。
【図４】レンズ鏡筒１６の分解斜視図である。
【図５】レンズ鏡筒１６の断面図である。
【図６】第１固定レンズ枠３８の斜視図である。
【図７】第１固定レンズ枠３８および第１移動レンズ枠３６の斜視図である。
【図８】第１固定レンズ枠３８および第１移動レンズ枠３６の斜視図である。
【図９】レンズ鏡筒１６の前部寄り部分の断面図である。
【図１０】第２の実施の形態における第１固定レンズ枠３８および第１移動レンズ枠３６の斜視図である。
【図１１】第３の実施の形態における第１固定レンズ枠３８および第１移動レンズ枠３６の斜視図である。
【図１２】（Ａ）、（Ｂ）は第４の実施の形態におけるレンズ鏡筒１６の前部寄りの断面図である。
【符号の説明】
【００２２】
１０……撮像装置、１４……撮影光学系、１６……レンズ鏡筒、３２……鏡筒、３６……第１移動レンズ枠、３８０２……壁部、５８……サブガイド軸、６６、７２……遮光部材。
【図１】
2008015146.tif 000003
【図２】
2008015146.tif 000004
【図３】
2008015146.tif 000005
【図４】
2008015146.tif 000006
【図５】
2008015146.tif 000007
【図６】
2008015146.tif 000008
【図７】
2008015146.tif 000009
【図８】
2008015146.tif 000010
【図９】
2008015146.tif 000011
【図１０】
2008015146.tif 000012
【図１１】
2008015146.tif 000013
【図１２】
2008015146.tif 000014